(57)【要約】【課題】蓋部を閉じる際には、ハーフロック状態となることなく、確実に蓋部を閉じることのできるプリンタ装置を提供する。【解決手段】記録紙が設置される記録紙ホルダが設けられたプリンタ本体部と、前記プリンタ本体部に開閉可能に取り付けられた蓋部と、前記蓋部に設けられた押部と、前記蓋部に取り付けられたプラテンローラと、前記プリンタ本体部の前記押部に対応する位置に、その長手方向に移動可能に設けられる可動シャフトと、前記可動シャフトを付勢するバネと、前記蓋部が閉じられた状態で前記プラテンローラの軸受を支持するロックレバーと、を有し、前記蓋部を閉じると前記押部により前記可動シャフトが押されバネ力が生じることを特徴とするプリンタ装置を提供することにより上記課題を解決する。【選択図】  図１４
2017196876.tif 000002
【特許請求の範囲】
【請求項１】
記録紙が設置される記録紙ホルダが設けられたプリンタ本体部と、
前記プリンタ本体部に開閉可能に取り付けられた蓋部と、
前記蓋部に設けられた押部と、
前記蓋部に取り付けられたプラテンローラと、
前記プリンタ本体部の前記押部に対応する位置に、その長手方向に移動可能に設けられる可動シャフトと、
前記可動シャフトを付勢するバネと、
前記蓋部が閉じられた状態で前記プラテンローラの軸受を支持するロックレバーと、
を有し、
前記蓋部を閉じると前記押部により前記可動シャフトが押されバネ力が生じることを特徴とするプリンタ装置。
【請求項２】
前記可動シャフトの前記押部と接触する接触面には、凸部が設けられており、
前記押部の前記可動シャフトと接触する接触面には、開口部が設けられており、
前記蓋部が閉じる際には、前記開口部に前記凸部が入ること特徴とする請求項１に記載のプリンタ装置。
【請求項３】
前記押部の前記可動シャフトと接触する接触面には、凸部が設けられており、
前記可動シャフトの前記押部と接触する接触面には、開口部または溝部が設けられており、
前記蓋部が閉じる際、前記開口部または前記溝部に前記凸部が入ることを特徴とする請求項１に記載のプリンタ装置。
【請求項４】
記録紙が設置される記録紙ホルダが設けられたプリンタ本体部と、
前記プリンタ本体部に開閉可能に取り付けられた蓋部と、
前記蓋部に取り付けられたプラテンローラと、
前記蓋部が閉じられたで前記プラテンローラの軸受を支持するロックレバーと、
前記プリンタ本体部に設けられたバネと、
前記蓋部の、前記バネに対応する位置に設けられた押部と、
を有し、
前記蓋部を閉じる際には、前記押部により前記バネの他方が押されバネ力が生じることを特徴とするプリンタ装置。
【請求項５】
記録紙が設置される記録紙ホルダが設けられたプリンタ本体部と、
前記プリンタ本体部に開閉可能な状態で取り付けられた蓋部と、
前記蓋部に取り付けられたプラテンローラと、
前記蓋部が閉じられた状態において、プラテンローラの軸受を支持するロックレバーと、
を有し、
前記蓋部には、一方が前記蓋部に接続されているバネが設けられており、
前記プリンタ本体部には、前記バネの他方に対応した位置に接触部が設けられており、
前記蓋部を閉じる際には、前記接触部により前記バネの他方が押され、前記バネにバネ力が生じることを特徴とするプリンタ装置。
【発明の詳細な説明】
【技術分野】
【０００１】
本発明は、プリンタ装置に関する。
【背景技術】
【０００２】
プリンタは、商店等のレジスタ、銀行等におけるＡＴＭ（Automated Teller Machine）やＣＤ（Cash dispenser）等の用途に幅広く用いられている。
【０００３】
このようなプリンタ装置には、例えば、プリンタ本体部と、プリンタ本体部に回動可能な状態で支持された蓋部が設けられたものがあり、この蓋部を開くことによりプリンタ本体部の記録紙ホルダに、ロール状に巻かれた記録紙を設置することができる。
【先行技術文献】
【特許文献】
【０００４】
【特許文献１】特許第２５８５７６９号公報
【特許文献２】特開２００３−２４６１０４号公報
【特許文献３】特開２００９−２８９１０号公報
【発明の概要】
【発明が解決しようとする課題】
【０００５】
ところで、上述したプリンタ装置は、様々なユーザが使用する発券装置等の情報機器端末装置にも用いられている。このような発券装置においては、記録紙がなくなると、ユーザが蓋部を開いて記録紙ホルダに記録紙を入れ、その後、蓋部を閉じる操作が行われる。蓋部を閉じる際には、例えば、プリンタ本体部に設けられたロック部にプラテンローラの軸受が各々入り込むことにより、蓋部がロックされて記録紙への印字が可能な状態となる。
【０００６】
しかしながら、ロック部がプリンタ装置の両側に設けられている場合、蓋部を閉じる際に蓋部を押した場合に、一方のロック部にプラテンローラの軸受が入り込んでいるが、他方のロック部には軸受が入り込んではおらず、途中で止まっている状態となる場合がある。このような状態は、ハーフロック状態と呼ばれており、サーマルヘッドに対しプラテンローラの位置がずれているため、印字を行うことができない。このようなハーフロック状態は、蓋部が閉じているように見えるため、ユーザは、蓋部が閉じられているにも関わらず印字が行われないと思い、プリンタ装置が故障しているものと判断してしまう場合がある。ハーフロック状態を解消するためには、例えば、他方のロック部が設けられている側の蓋部を押したり、再度蓋部を開いて閉じること等の操作を行えばよいが、ユーザは、一旦プリンタ装置が故障しているものと判断してしまうと、そのような操作はなかなか行われない。このため、プリンタ装置による印字を行うことができず、発券装置等の情報機器端末装置を使用することができなくなってしまう。
【０００７】
従って、蓋部を閉じる際には、ハーフロック状態となることのないプリンタ装置が求められている。
【課題を解決するための手段】
【０００８】
本実施の形態の一観点によれば、記録紙が設置される記録紙ホルダが設けられたプリンタ本体部と、前記プリンタ本体部に開閉可能に取り付けられた蓋部と、前記蓋部に設けられた押部と、前記蓋部に取り付けられたプラテンローラと、前記プリンタ本体部の前記押部に対応する位置に、その長手方向に移動可能に設けられる可動シャフトと、前記可動シャフトを付勢するバネと、前記蓋部が閉じられた状態で前記プラテンローラの軸受を支持するロックレバーと、を有し、前記蓋部を閉じると前記押部により前記可動シャフトが押されバネ力が生じることを特徴とする。
【発明の効果】
【０００９】
本発明によれば、プリンタ装置において、蓋部を閉じる際にハーフロック状態となることがなく、確実に蓋部を閉じることができる。
【図面の簡単な説明】
【００１０】
【図１】プリンタ装置の蓋部が閉じている状態の斜視図
【図２】プリンタ装置の蓋部が開いている状態の断面図（１）
【図３】プリンタ装置の正面図
【図４】プリンタ装置の蓋部が開いている状態の断面図（２）
【図５】プリンタ装置の蓋部が閉じている状態の断面図
【図６】プリンタ装置の蓋部を閉じる場合の説明図
【図７】プリンタ装置の蓋部が完全に閉じられている状態の説明図
【図８】プリンタ装置の蓋部を開く場合の説明図
【図９】プリンタ装置の蓋部がハーフロックの状態の説明図（１）
【図１０】プリンタ装置の蓋部がハーフロックの状態の説明図（２）
【図１１】プリンタ装置の蓋部がハーフロックとなる場合の説明図
【図１２】第１の実施の形態におけるプリンタ装置の蓋部が開いている状態の断面図
【図１３】第１の実施の形態におけるプリンタ装置の正面図
【図１４】第１の実施の形態におけるプリンタ装置の説明図（１）
【図１５】第１の実施の形態におけるプリンタ装置の説明図（２）
【図１６】第１の実施の形態におけるプリンタ装置の説明図（３）
【図１７】第１の実施の形態におけるプリンタ装置の説明図（４）
【図１８】第１の実施の形態におけるプリンタ装置の断面斜視図
【図１９】第１の実施の形態におけるプリンタ装置の変形例１の断面図
【図２０】第１の実施の形態におけるプリンタ装置の変形例２の断面図
【図２１】第１の実施の形態におけるプリンタ装置の変形例３の断面図
【図２２】第１の実施の形態におけるプリンタ装置の変形例４の断面図
【図２３】第１の実施の形態におけるプリンタ装置の変形例５の断面図
【図２４】第２の実施の形態におけるプリンタ装置の構造図
【図２５】第２の実施の形態におけるプリンタ装置の説明図
【図２６】第２の実施の形態におけるプリンタ装置の変形例１の構造図
【図２７】第２の実施の形態におけるプリンタ装置の変形例１の説明図
【図２８】第２の実施の形態におけるプリンタ装置の変形例２の構造図
【図２９】第２の実施の形態におけるプリンタ装置の変形例２の説明図
【図３０】第２の実施の形態におけるプリンタ装置の変形例３の構造図
【図３１】第２の実施の形態におけるプリンタ装置の変形例３の説明図
【図３２】第３の実施の形態におけるプリンタ装置の説明図（１）
【図３３】第３の実施の形態におけるプリンタ装置の説明図（２）
【発明を実施するための形態】
【００１１】
本発明を実施するための形態について、以下に説明する。尚、同じ部材等については、同一の符号を付して説明を省略する。
【００１２】
（プリンタ装置）
最初に、図１〜図５に示されるプリンタ装置において、蓋部を閉じる際に生じるハーフロック状態について説明する。図１〜図５に示されるプリンタ装置は、クラムシェルタイプのプリンタ装置とも呼ばれるものであり、ロール状に巻かれた記録紙を落とし込み方式により、記録紙ホルダ内に設置する構造のものである。図１は、プリンタ装置の蓋部が閉じている状態の斜視図であり、図２は、蓋部が開いている状態の断面図である。図３は、プリンタ装置の蓋部が閉じている状態の正面図である。図４及び図５は、図３における一点鎖線３Ａ−３Ｂにおいて切断した断面図であり、図４は蓋部が開いている状態、図５は蓋部が閉じている状態をそれぞれ示す。尚、図面においては、プリンタ装置の細部が一部相違している部分があるが、本発明に影響を与えるものではない。
【００１３】
図１〜図５に示されるプリンタ装置は、プリンタ本体部１０と、プリンタ本体部１０に回動可能に取り付けられている蓋部２０とを有している。プリンタ本体部１０には、記録紙１００が入れられる記録紙ホルダ１１、プリントヘッドであるサーマルヘッド３０、制御回路基板、モータ等が設けられている。蓋部２０には、プラテンローラ４０、記録紙１００を切断するカッタユニット５０等が設けられている。
【００１４】
図１〜図５に示されるプリンタ装置においては、記録紙１００を記録紙ホルダ１１内に入れ、蓋部２０を閉じることにより記録紙１００が設置される。具体的には、図４に示されるように蓋部２０が開いている状態で記録紙ホルダ１１に記録紙１００を入れ、図５に示すように回転軸を中心に破線矢印Ａに示す方向に蓋部２０を回動させることにより蓋部２０を閉じる。
【００１５】
蓋部２０を閉じる動作について、図６及び図７に基づき、より詳細に説明する。図６は、蓋部２０を破線矢印Ａに示す方向に回動させて、閉じている途中の状態を示すものであり、図７は、蓋部２０が完全に閉じられた状態の説明図である。尚、図７（ａ）は、蓋部２０が閉じられた状態のプリンタ装置の上面図であり、図７（ｂ）は、図７（ａ）に示されるプリンタ装置の右側の端の近傍における断面図であり、図７（ｃ）は、左側の端の近傍における断面図である。
【００１６】
プリンタ本体部１０には、蓋部２０が閉じられた際に、プラテンローラ４０の左右の軸受４１ａ、４１ｂを支持し外れないようにロックするためのロックレバー６０が設けられている。ロックレバー６０には、その左右に右側ロック部６１ａと左側ロック部６１ｂが設けられている。右側ロック部６１ａには、プラテンローラ４０の右側の軸受４１ａが入る開口部６２ａが設けられており、左側ロック部６１ｂには、プラテンローラ４０の左側の軸受４１ｂが入る開口部６２ｂが設けられている。また、ロックレバー６０の右側ロック部６１ａが設けられている側には、ロックレバー６０を回動させる際に操作される操作部６３が設けられている。
【００１７】
図７に示すように、蓋部２０が閉じられた際には、ロックレバー６０の右側ロック部６１ａの開口部６２ａ内にはプラテンローラ４０の右側の軸受４１ａが入り、左側ロック部６１ｂの開口部６２ｂ内には左側の軸受４１ｂが入ることにより、蓋部２０が開かないように両軸受４１ａ、４１ｂがロックされる。このようなロックされた状態において、サーマルヘッド３０により記録紙１００に印字がなされる。
【００１８】
また、蓋部２０を開く際には、図８に示されるように、ロックレバー６０の操作部６３を破線矢印Ｂに示す方向に動かす。これにより、プラテンローラ４０の軸受４１ａ、４１ｂが、ロックレバー６０の右側ロック部６１ａの開口部６２ａ、左側ロック部６１ｂの開口部６２ｂより各々はずれてロック状態が解除されるため、蓋部２０は破線矢印Ｃに示す方向に回動し開く。
【００１９】
このようなプリンタ装置において生じるハーフロック状態とは、一方の開口部にプラテンローラ４０の軸受が入っていない状態を指す。具体的には、図９に示すように、ロックレバー６０の右側ロック部６１ａの開口部６２ａにプラテンローラ４０の右側の軸受４１ａが入っているが、左側ロック部６１ｂの開口部６２ｂには左側の軸受４１ｂが完全には入っておらず、途中で止まっている状態、または、図１０に示すように、ロックレバー６０の左側ロック部６１ｂの開口部６２ｂにプラテンローラ４０の左側の軸受４１ｂが入っているが、右側ロック部６１ａの開口部６２ａにはプラテンローラ４０の右側の軸受４１ａが入っておらず、途中で止まっている状態である。
【００２０】
これらの状態においては、プラテンローラ４０の一方の軸受は開口部に入っているが、他方の軸受は開口部には入っていないため、サーマルヘッド３０に対するプラテンローラ４０の位置がずれた状態であり印字をすることができない。尚、図９（ａ）は、一方の軸受が外れているハーフロック状態のプリンタ装置の上面図であり、図９（ｂ）は、図９（ａ）に示されるプリンタ装置の右側の端の近傍における断面図であり、図９（ｃ）は、左側の端の近傍における断面図である。また、図１０（ａ）は、他方の軸受が外れているハーフロック状態のプリンタ装置の上面図であり、図１０（ｂ）は、図１０（ａ）に示されるプリンタ装置の右側の端の近傍における断面図であり、図１０（ｃ）は、左側の端の近傍における断面図である。
【００２１】
図９に示されるハーフロック状態は、蓋部２０を閉じる際に、図９及び図１１における破線矢印Ｄに示すように、蓋部２０の右側のみを押して蓋部２０を閉じることにより発生する。また、図１０に示されるハーフロック状態は、蓋部２０を閉じる際に、図１０及び図１１における破線矢印Ｅに示すように、蓋部２０の左側のみを押して蓋部２０を閉じることにより発生する。
【００２２】
〔第１の実施の形態〕
次に、本実施の形態におけるプリンタ装置について、図１２〜図１７に基づき説明する。本実施の形態におけるプリンタ装置もクラムシェルタイプのプリンタ装置である。尚、図１２は、本実施の形態におけるプリンタ装置において蓋部が開いている状態の断面図である。図１３は、蓋部が閉じている状態の本実施の形態によるプリンタ装置の正面図であり、図１４及び図１５は、図１３における一点鎖線１３Ａ−１３Ｂにおいて切断した断面図であり、図１４は、蓋部が開いている状態、図１５は、蓋部が閉じている状態を示す。
【００２３】
本実施の形態によるプリンタ装置は、プリンタ本体部１１０と、回動可能にプリンタ本体部１１０に取り付けられ、プリンタ本体部１１０に対して開閉可能な蓋部１２０とを有している。
【００２４】
プリンタ本体部１１０には、記録紙を収容する記録紙ホルダ１１１、プリントヘッドであるサーマルヘッド１３０、制御回路基板、モータが設けられている。蓋部１２０には、プラテンローラ１４０、カッタユニット１５０が設けられている。尚、本実施の形態におけるプリンタ装置に用いられる記録紙は感熱紙である。モータとしては、記録紙を搬送するプラテンローラ１４０を駆動するためのモータ、記録紙を切断するカッタユニット１５０を駆動するためのモータ等が搭載されている。
【００２５】
蓋部１２０には、記録紙ホルダ１１１の側に出っ張った押部１７０が設けられており、プリンタ本体部１１０には、蓋部１２０の押部１７０に対応する位置に、可動シャフト１８０及びコイルバネ１９１が設けられている。可動シャフト１８０及びコイルバネ１９１は、プリンタ本体部１１０に形成されている支持部１１４の上に設置されている。可動シャフト１８０は、一方の端には軸部１８０ｃよりも幅の広い幅広部１８０ａが形成されており、他方の端側には可動シャフト１８０の長手方向に軸部１８０ｃよりも幅の狭い幅狭部１８０ｄが所定の長さで形成されており、軸部１８０ｃがコイルバネ１９１の中に入れられている。可動シャフト１８０は、プリンタ本体部１１０に設けられた壁面１１５の開口部分に幅狭部１８０ｄが位置し、幅狭部１８０ｄの長さのぶん長手方向に移動可能に配置される。
【００２６】
コイルバネ１９１の一方の端部１９１ａは、プリンタ本体部１１０に設けられた壁面１１５に接しており、他方の端部１９１ｂは幅広部１８０ａの内側と接している。尚、押部１７０及び可動シャフト１８０は、ステンレス等の金属材料により形成されている。本実施の形態におけるプリンタ装置では、蓋部１２０を閉じる際、あるいは蓋部１２０が閉じている状態で、幅広部１８０ａの外側の可動シャフト接触面１８０ｂと押部１７０の押部接触面１７０ａとが接触する。
【００２７】
プリンタ本体部１１０には、蓋部１２０が閉じられた際にプラテンローラ１４０の軸受１４１を支持するロックレバー１６０が設けられている。ロックレバー１６０の左右にはそれぞれ、右側ロック部と左側ロック部が設けられている。右側ロック部には、プラテンローラ１４０の軸受１４１の右側が入る開口部が設けられており、左側ロック部には、プラテンローラ１４０の軸受１４１の左側が入る開口部が設けられている。また、ロックレバー１６０は回転軸を中心に回動可能に支持されるとともに、ロック部１６１が軸受１４１に向かう方向にバネ等により付勢されている。ロックレバー１６０の右側ロック部が設けられている側には、ロックレバー１６０を回動させる際に操作される操作部１６３が設けられている。本実施の形態における説明では、便宜上、ロックレバー１６０の右側部分について説明し、ロックレバー１６０の右側ロック部をロック部１６１、右側の開口部を開口部１６２として説明する。
【００２８】
本実施の形態におけるプリンタ装置では、図１４に示すように、蓋部１２０が開いている状態から、手で破線矢印Ｆに示す方向、即ち、時計回りに蓋部１２０を回動させる。これにより、図１６に示すように、押部１７０の押部接触面１７０ａと可動シャフト１８０の可動シャフト接触面１８０ｂとが接触する。この状態では、プラテンローラ１４０の軸受１４１は、ロックレバー１６０とは接触していない。
【００２９】
更に、時計回りに蓋部１２０を回動させることにより、図１７に示すように、押部１７０により、可動シャフト接触面１８０ｂが押され、可動シャフト１８０が長手方向に移動するとともに幅広部に押されてコイルバネ１９１が縮み、蓋部１２０が開く方向に付勢され、バネ力が生じる。この状態においては、プラテンローラ１４０の軸受１４１は、ロックレバー１６０の開口部１６２に入りかけているものの、完全に入り込んではおらず、プラテンローラ１４０の軸受１４１がロックレバー１６０のロック部１６１から外れないようにロックするための力よりも、コイルバネ１９１のバネ力の方が大きい。このため、この状態で蓋部１２０よりた手を離すと、コイルバネ１９１のバネ力により蓋部１２０が破線矢印Ｆに示す方向とは逆の反時計回りに回動しようとする力がはたらく。プラテンローラ１４０の少なくとも一方の軸受１４１がロック部１６１の開口部１６２に入っていないハーフロック状態では、コイルバネ１９１のバネ力により蓋部１２０が開いてしまう。
【００３０】
図１７の状態から更に、時計回りに蓋部１２０を回動させることで可動シャフト１８０が長手方向に移動しコイルバネ１９１が更に縮み、図１５に示すように、蓋部１２０が完全に閉じられる。この状態では、プラテンローラ１４０の軸受１４１はロックレバー１６０の開口部１６２に入り込んでおり、プラテンローラ１４０の左右両側の軸受１４１は、ロックレバー１６０の左右両側のロック部１６１においてそれぞれロックされる。この状態では、プラテンローラ１４０の左右両側の軸受１４１がロックレバー１６０の左右両側のロック部１６１から外れないようにロックする力の方が、コイルバネ１９１のバネ力よりも大きい。このため、蓋部１２０から手を離しても、プラテンローラ１４０の軸受１４１はロック部１６１においてロックされているため、コイルバネ１９１のバネ力により蓋部１２０が開くことはない。図１８は、本実施の形態におけるプリンタ装置において、蓋部１２０が閉じられている状態の断面斜視図である。
【００３１】
本実施の形態におけるプリンタ装置では、ハーフロック状態は、プラテンローラ１４０の一方の軸受はロックレバー１６０の開口部に入っているが、図１７に示すように他方の軸受が開口部に入り込んでいない。この状態では、プラテンローラ１４０の軸受１４１は、ロック部１６１によりロックされておらず、軸受１４１をロック部１６１がロックする力よりも、コイルバネ１９１のバネ力の方が大きく、蓋部１２０を回動させていた手を離すと、コイルバネ１９１のバネ力により、蓋部１２０が開いてしまう。
【００３２】
即ち、本実施の形態におけるプリンタ装置においては、一方の軸受がロックされていない状態ではコイルバネ１９１のバネ力により蓋部１２０が開いてしまう。言い換えるならば、本実施の形態におけるプリンタ装置は、図１５に示すような蓋部１２０が閉じている状態か、図１４等に示すような蓋部１２０が開いている状態のいずれかとなり、ハーフロック状態とはならない。
【００３３】
なお、コイルバネ１９１に代えて、図１９に示されるように、ねじりコイルバネ１９２を用いてもよい。ねじりコイルバネ１９２は、一方の側１９２ａがプリンタ本体部１１０に設けられたバネ固定部１１６に固定され、他方の側１９２ｂは幅広部１８０ａの内側と接するように設置されている。押部１７０により可動シャフト１８０が押されると、ねじりコイルバネ１９２は幅広部１８０ａの内側において押されて破線に示すように変形し、蓋部１２０が開く方向にバネ力が生じる。
【００３４】
また、コイルバネ１９１に代えて、図２０に示されるように、板バネ１９３を用いてもよい。板バネ１９３は、一方の側１９３ａが、プリンタ本体部１１０に設けられた支持部１１４に固定され、他方の側１９３ｂは幅広部１８０ａの内側と接するように設置されている。押部１７０により可動シャフト１８０が押されると、板バネ１９３が幅広部１８０ａの内側において押されて破線に示すように変形し、蓋部１２０が開く方向にバネ力が生じる。
【００３５】
また、本実施の形態におけるプリンタ装置は、可動シャフト１８０を用いていない構造のものであってもよい。図２１に示すプリンタ装置では、コイルバネ１９１がプリンタ本体部１１０の壁面１１５に設けられた突起部１１８に入れられており、コイルバネ１９１の端部１９１ａは、プリンタ本体部１１０に設けられた壁面１１５に接している。蓋部１２０が閉じられると、コイルバネ１９１の他方の端部１９１ｂは押部１７０の押部接触面１７０ａと直接接触し、押部接触面１７０ａにより押されることにより、コイルバネ１９１にバネ力が生じる。
【００３６】
また、図２２に示すように、ねじりコイルバネ１９２を用いた場合においても、可動シャフト１８０を用いていない構造のものであってもよい。この場合には、蓋部１２０が閉じられると、ねじりコイルバネ１９２の他方の側１９２ｂは押部１７０の押部接触面１７０ａと直接接触し、押部接触面１７０ａにより押されることにより、ねじりコイルバネ１９２の他方の側１９２ｂは破線で示すように変形し、ねじりコイルバネ１９２にバネ力が生じる。
【００３７】
また、図２３に示すように、板バネ１９３を用いた場合においても、可動シャフト１８０を用いていない構造のものであってもよい。この場合には、蓋部１２０が閉じられると、板バネ１９３の他方の側１９３ｂは押部１７０の押部接触面１７０ａと直接接触し、押部接触面１７０ａにより押されることにより、板バネ１９３の他方の側１９３ｂは破線で示すように変形し、板バネ１９３にバネ力が生じる。
【００３８】
〔第２の実施の形態〕
次に、第２の実施の形態について図２４及び図２５に基づき説明する。本実施の形態は、図２５に示すように可動シャフト１８０の可動シャフト接触面１８０ｂに凸部１８１が設けられており、蓋部１２０の押部１７０の押部接触面１７０ａには、凸部１８１に対応する開口部１７１が設けられている構造のプリンタ装置である。図２４（ａ）は、本実施の形態におけるプリンタ装置の断面図であり、図２４（ｂ）は、押部１７０の斜視図である。
【００３９】
本実施の形態では、蓋部１２０を閉じるために図２４（ａ）に示される破線矢印Ｆに示す方向に蓋部１２０が回動すると、可動シャフト１８０と蓋部１２０に設けられた押部１７０とが接触する。この際、可動シャフト１８０と押部１７０とが最初に接触するのは、図２５（ａ）に示されるように、凸部１８１と押部接触面１７０ａである。蓋部１２０を破線矢印Ｆに示す方向に回動させると、凸部１８１は押部接触面１７０ａの表面を移動しながら押され、押部１７０により破線矢印Ｇに示す方向に可動シャフト１８０が押されるため、コイルバネ１９１が縮む。
【００４０】
更に、蓋部１２０を破線矢印Ｆに示す方向に回動させて、凸部１８１が押部接触面１７０ａに設けられた開口部１７１の位置まで移動すると、図２５（ｂ）に示すように、可動シャフト１８０は、コイルバネ１９１のバネ力により破線矢印Ｈに示す方向に移動し、開口部１７１内に凸部１８１が入り込む。この際、押部接触面１７０ａと可動シャフト接触面１８０ｂとが接触し、衝撃及び衝撃音が発生する。
【００４１】
このように、押部接触面１７０ａと可動シャフト接触面１８０ｂとが接触することにより生じた衝撃及び衝撃音により、蓋部１２０を閉じていたユーザは、感触と音で、蓋部１２０が完全に閉じられたことを認識できる。
【００４２】
また、本実施の形態におけるプリンタ装置は、図２６及び図２７に示すように、押部１７０の押部接触面１７０ａに凸部１７２を設け、可動シャフト１８０の可動シャフト接触面１８０ｂに円形の開口部１８２を設けた構造のものであってもよい。この場合も、上記と同様に、蓋部１２０が閉じられた際に、コイルバネ１９１のバネ力により押部接触面１７０ａと可動シャフト接触面１８０ｂとが接触し、衝撃及び衝撃音が生じる。このように生じた衝撃及び衝撃音により、蓋部１２０を閉じていたユーザは、蓋部１２０が完全に閉じられたことを認識することができる。尚、図２６（ａ）は、このプリンタ装置の断面図であり、図２６（ｂ）は、押部１７０の斜視図であり、図２６（ｃ）は可動シャフト１８０の斜視図である。また、図２７（ａ）は凸部１７２が開口部１８２に入る前の状態を示し、図２７（ｂ）は凸部１７２が開口部１８２に入った状態を示す。
【００４３】
また、本実施の形態におけるプリンタ装置は、図２８及び図２９に示すように、可動シャフト接触面１８０ｂに、開口部１８２に代えて中央部分に溝部１８３を形成したものであってもよい。尚、図２８（ａ）は、このプリンタ装置の断面図であり、図２８（ｂ）は押部１７０の斜視図であり、図２８（ｃ）は可動シャフト１８０の斜視図である。また、図２９（ａ）は凸部１７２が溝部１８３に入る前の状態を示し、図２９（ｂ）は凸部１７２が溝部１８３に入った状態を示す。
【００４４】
また、図３０及び図３１に示す、可動シャフト接触面１８０ｂに形成される開口部１８２の深さｄと押部接触面１７０ａに設けた凸部１７２の高さとを変えることにより、コイルバネ１９１のバネ力により押部接触面１７０ａと可動シャフト接触面１８０ｂとが接触する際の衝撃及び衝撃音の強弱を変えることができる。従って、開口部１８２の深さｄと凸部１７２の高さとを、所望の強さの衝撃及び衝撃音となるように調整してもよい。尚、図３０（ａ）は、このプリンタ装置の断面図であり、図３０（ｂ）は押部斜視図であり、図３０（ｃ）は可動シャフト１８０の斜視図である。また、図３１（ａ）は凸部１７２が開口部１８２に入る前の状態を示し、図３１（ｂ）は凸部１７２が開口部１８２に入った状態を示す。
【００４５】
本実施の形態におけるプリンタ装置は、コイルバネ１９１に代えて、ねじりコイルバネや板バネ等を用いた構造のものであってもよい。上記以外の内容については、第１の実施の形態と同様である。
【００４６】
〔第３の実施の形態〕
次に、第３の実施の形態について説明する。本実施の形態におけるプリンタ装置は、図３２及び図３３に示されるように、蓋部１２０にコイルバネ２９１を設置し、プリンタ本体部１１０には、蓋部１２０が閉じられた際にコイルバネ２９１が入る筒部２８５が設けられており、筒部２８５の奥にコイルバネ２９１と接触する接触部２８６が設けられている構造のものである。本実施の形態においては、コイルバネ２９１は、蓋部１２０に設けられた突起部２７０に入れられている。
【００４７】
本実施の形態におけるプリンタ装置では、コイルバネ２９１の一方の端部２９１ａは蓋部１２０の一部と接しており、他方の端部２９１ｂは蓋部１２０が閉じられた際に筒部２８５の奥の接触部２８６と接触して縮み、蓋部１２０が開く方向のバネ力を生じる。従って、本実施の形態におけるプリンタ装置においては、プラテンローラ１４０の少なくとも一方の軸受１４１がロック部１６３の開口部１６２に入っていない状態になっても、コイルバネ２９１のバネ力により蓋部１２０が開くため、ハーフロック状態になることはない。
【００４８】
本実施の形態におけるプリンタ装置は、コイルバネ２９１に代えて、ねじりコイルバネや板バネ等を用いた構造のものであってもよい。上記以外の内容については、第１の実施の形態と同様である。
【００４９】
以上、本発明の実施に係る形態について説明したが、上記内容は、発明の内容を限定するものではない。
【符号の説明】
【００５０】
１００      記録紙
１１０      プリンタ本体部
１１１      記録紙ホルダ
１２０      蓋部
１４０      プラテンローラ
１４１      軸受
１６０      ロックレバー
１６１      ロック部
１６２      開口部
１６３      操作部
１７０      押部
１７０ａ    押部接触面
１８０      可動シャフト
１８０ａ    幅広部
１８０ｂ    可動シャフト接触面
１９１      コイルバネ
【図１】
2017196876.tif 000003
【図２】
2017196876.tif 000004
【図３】
2017196876.tif 000005
【図４】
2017196876.tif 000006
【図５】
2017196876.tif 000007
【図６】
2017196876.tif 000008
【図７】
2017196876.tif 000009
【図８】
2017196876.tif 000010
【図９】
2017196876.tif 000011
【図１０】
2017196876.tif 000012
【図１１】
2017196876.tif 000013
【図１２】
2017196876.tif 000014
【図１３】
2017196876.tif 000015
【図１４】
2017196876.tif 000016
【図１５】
2017196876.tif 000017
【図１６】
2017196876.tif 000018
【図１７】
2017196876.tif 000019
【図１８】
2017196876.tif 000020
【図１９】
2017196876.tif 000021
【図２０】
2017196876.tif 000022
【図２１】
2017196876.tif 000023
【図２２】
2017196876.tif 000024
【図２３】
2017196876.tif 000025
【図２４】
2017196876.tif 000026
【図２５】
2017196876.tif 000027
【図２６】
2017196876.tif 000028
【図２７】
2017196876.tif 000029
【図２８】
2017196876.tif 000030
【図２９】
2017196876.tif 000031
【図３０】
2017196876.tif 000032
【図３１】
2017196876.tif 000033
【図３２】
2017196876.tif 000034
【図３３】
2017196876.tif 000035